(57)【要約】【課題】スクランブル放送信号のチャンネルを選局する際の利便性を改善する。【解決手段】放送受信装置１００に放送番組のスクランブルを解除する着脱自在のＩＣカード４１が装着されたことをカードディテクタ２８により検出すると、予めメモリ１０Ｂに記憶しておいたスクランブルされた番組を放送する論理チャンネルを指すスクランブル情報が、ＣＰＵ１０Ａによりメモリ１０Ｂから読出される。読出された情報は、信号処理部２３のＯＳＤ回路２３１を介してモニタ４０に表示される。【選択図】図１
2009177708.tif 000002
【特許請求の範囲】
【請求項１】
物理チャンネルに多重化した複数の論理チャンネルを形成し、この論理チャンネル毎に番組を放送するＤＶＢ−Ｔ（Digital Video Broadcasting for Terrestrial）方式に従うデジタルテレビジョン放送を受信する放送受信装置であって、
前記複数の論理チャンネルには、スクランブルされた番組を放送する論理チャンネルが含まれて、
表示部と、
記憶部と、
放送局から送信される前記デジタルテレビジョン放送を受信し、指定された物理チャンネルの放送を選局して抽出する選局部と、
前記選局部が抽出する放送に基づき、指定された前記物理チャンネルに多重化した各論理チャンネルの放送番組がスクランブルされているか否かを検出し、検出結果を出力する検出部と、
前記検出部から出力された前記検出結果に基づき、前記物理チャンネルに多重化した複数の論理チャンネルのうち、放送する番組がスクランブルされた論理チャンネルを指すスクランブル情報と、放送する番組がスクランブルされていない論理チャンネルを指す非スクランブル情報とを、前記記憶部に格納するスクランブル情報格納部と、
前記選局部が抽出する放送から、指定された論理チャンネルによる番組放送を選択的に抽出する放送受信部と、
前記放送受信装置に着脱自在であって、且つ前記放送番組のスクランブルを解除するＩＣカードからなるモジュールが、前記放送受信装置に装着されたか否かを検出するモジュール検出部と、を備え、
前記モジュール検出部が前記モジュールが装着されたことを検出するとき、前記記憶部から前記スクランブル情報を読出し前記表示部に表示するか、または、前記記憶部から前記非スクランブル情報と前記スクランブル情報とを読出し、前記表示部に個別に表示するかのいずれかを行なう、放送受信装置。
【請求項２】
物理チャンネルに多重化した複数の論理チャンネルを形成し、この論理チャンネル毎に番組を放送するデジタルテレビジョン放送を受信する放送受信装置であって、
前記複数の論理チャンネルには、スクランブルされた番組を放送する論理チャンネルが含まれて、
表示部と、
記憶部と、
放送局から送信される前記デジタルテレビジョン放送を受信し、指定された物理チャンネルの放送を選局して抽出する選局部と、
前記選局部が抽出する放送に基づき、指定された前記物理チャンネルに多重化した各論理チャンネルの放送番組がスクランブルされているか否かを検出し、検出結果を出力する検出部と、
前記検出部から出力された前記検出結果に基づき、前記物理チャンネルに多重化した複数の論理チャンネルのうち、放送する番組がスクランブルされた論理チャンネルを指すスクランブル情報を、前記記憶部に格納するスクランブル情報格納部と、
前記選局部が抽出する放送から、指定された論理チャンネルによる番組放送を選択的に抽出する放送受信部と、
前記放送受信装置に着脱自在であって、且つ前記放送番組のスクランブルを解除するモジュールが、前記放送受信装置に装着されたか否かを検出するモジュール検出部と、を備え、
前記モジュール検出部が前記モジュールが装着されたことを検出するとき、前記記憶部から前記スクランブル情報を読出し、前記表示部に表示する、放送受信装置。
【請求項３】
前記検出部から出力された前記検出結果に基づき、前記物理チャンネルに多重化した複数の論理チャンネルのうち、放送する番組がスクランブルされていない論理チャンネルを指す非スクランブル情報を、前記記憶部に格納する非スクランブル情報格納部をさらに備え、
前記モジュール検出部が前記モジュールが装着されていないことを検出するとき、前記記憶部から前記非スクランブル情報を読出し、前記表示部に表示する、請求項２に記載の放送受信装置。
【請求項４】
前記モジュール検出部が前記モジュールが装着されていることを検出するとき、前記記憶部から前記非スクランブル情報と、前記スクランブル情報とを読出し、前記表示部に個別に表示する、請求項３に記載の放送受信装置。
【請求項５】
前記デジタルテレビジョン放送は、ＤＶＢ−Ｔ（Digital Video Broadcasting for Terrestrial）方式に従う放送である、請求項２から４のいずれかに記載の放送受信装置。
【請求項６】
前記モジュールは、ＩＣカードからなる、請求項２から５のいずれかに記載の放送受信装置。
【発明の詳細な説明】
【技術分野】
【０００１】
この発明は放送受信装置に関し、特に、スクランブルがかけられた放送信号のスクランブルデコードがＩＣ（Integrated Circuit）カードなどのデコードの為の情報を記録したモジュールの使用によって可能となる放送受信装置に関する。
【背景技術】
【０００２】
従来からデジタル放送においては、料金を支払う契約者だけが受信できるよう、放送事業者側で放送に電波を乱す暗号（スクランブル）をかけて送信するＣＡＳ（Condition Access System：限定受信システム）による有料視聴サービスが行なわれている。たとえば、衛星デジタル放送では、放送局は、有料視聴サービスの契約者に予め鍵コードを記録したＩＣカードなどの記録媒体を配布する。放送局からスクランブルがかかった有料放送番組の信号を受信する装置に、ユーザが記録媒体を挿入すると、受信装置では記録媒体に記録された鍵コードを用いて、受信した放送信号のスクランブルの解除（暗号化のための符号を復号する：デスクランブル）がされる。これにより、スクランブルがかけられたために画像が極端にゆがんだり、モザイクがかかったりした画面は、正常な画面に戻されて、ユーザは有料番組を視聴することが可能となる。
【０００３】
ここで、ユーザが所望する有料放送チャンネルの選局を容易にするために有料放送のチャンネルのリストを表示することが考えられる。チャンネルのリストを作成する技術が、たとえば特許文献１−５に開示される。
【０００４】
特許文献１はテレビジョン受信装置に関し、テレビジョン放送の種類別にチャンネルのリストを表示する構成を示す（特許文献１の段落００１５を参照）。
【０００５】
特許文献２はデジタル放送受信装置に関し、チャンネルスキャンを実行してチャンネルのリストを作成する構成を示す（特許文献２の段落００２０を参照）。
【０００６】
特許文献３はデジタル放送受信装置に関し、チャンネル履歴の情報から、古いチャンネル情報を削除する構成を示す（特許文献３の請求項２を参照）。
【０００７】
特許文献４は放送受信装置に関し、チャンネルのリストから特定のチャンネルを削除する構成を示す（特許文献４の段落０００４を参照）。
【０００８】
特許文献５はテレビジョンに関し、チャンネルのリストから受信状態が悪いチャンネルが削除される構成を示す（特許文献５の段落０００５を参照）。
【０００９】
また、デスクランブルのためのカード記憶媒体を用いた構成が特許文献６−９に示される。
【００１０】
特許文献６はデジタル放送受信方法に関し、装着したＩＣカードにおいて発生させたキーを用いてデスクランブルする構成を示す（特許文献６の段落００１８と００２９を参照）。
【００１１】
特許文献７は有料放送受信装置に関し、装着したＩＣカードの情報を用いてデスクランブルをし、また、チャンネルのリストを表示する構成を示す（特許文献７の段落００１６と図５を参照）。
【００１２】
特許文献８はデジタル情報受信装置に関し、カードが挿入されていない場合には視聴案内番組に受信番組を切換える構成を示す（特許文献８の段落００１２を参照）。
【００１３】
特許文献９はプリペイドカード利用の衛星放送受信機に関し、カード挿入によりデータを読み取り、スクランブル解除を行なう構成を示す（特許文献９の段落０００４を参照）。
【特許文献１】特開２００６−１８６５１６号公報
【特許文献２】特開２００６−１６６０３５号公報
【特許文献３】特開２００７−１１０２８７号公報
【特許文献４】特開２０００−２１７０４２号公報
【特許文献５】特開２００７−５９１９号公報
【特許文献６】特開２０００−２４４８８８号公報
【特許文献７】特開平９−４６６８１号公報
【特許文献８】特開２００５−３０３７５９号公報
【特許文献９】特開平５−２０７４６４号公報
【発明の開示】
【発明が解決しようとする課題】
【００１４】
ユーザが放送受信装置にデスクランブル用のカードを挿入するのは、有料放送を視聴したいとの要求を示すものであるから、カード挿入を検出するとスクランブル放送のチャンネルを選局する動作に速やかに移行すれば、ユーザの要求に応えることになり、利便性が増す。その動作を促すために、有料放送のチャンネルのリストを表示すれば、所望の有料放送チャンネルの選局がスムーズに行なえる。
【００１５】
しかしながら、上述した各文献など従来技術では、カードの挿入を検出すると自動的に有料放送番組のチャンネルのリストを表示することはない。また、表示されるチャンネルのリストには、スクランブルのチャンネルの情報も常に表示されるので、カード未挿入時にはチャンネル情報はリストで表示されるが画像は表示されないことになり、ユーザは混乱する。
【００１６】
また、表示されるチャンネルのリストでは、スクランブルの有無にかかわらず、リストには番号順にチャンネルの情報が表示されるので、ユーザはリストを参照しても所望チャンネルの選局操作に手間取ることがあった。
【００１７】
したがって、従来は、スクランブル放送の所望チャンネルを選局する動作を速やかに行ないたいとのユーザの要求には十分に応えることができなかった。
【００１８】
それゆえにこの発明の目的は、スクランブル放送信号のチャンネルを選局する際の利便性が改善された放送受信装置を提供することである。
【課題を解決するための手段】
【００１９】
この発明のある局面に従うと、物理チャンネルに多重化した複数の論理チャンネルを形成し、この論理チャンネル毎に番組を放送するＤＶＢ−Ｔ（Digital Video Broadcasting for Terrestrial）方式に従うデジタルテレビジョン放送を受信する放送受信装置は、表示部と、記憶部と、放送局から送信されるデジタルテレビジョン放送を受信し、指定された物理チャンネルの放送を選局して抽出する選局部と、選局部が抽出する放送に基づき、指定された物理チャンネルに多重化した各論理チャンネルの放送番組がスクランブルされているか否かを検出し、検出結果を出力する検出部と、検出部から出力された検出結果に基づき、物理チャンネルに多重化した複数の論理チャンネルのうち、放送する番組がスクランブルされた論理チャンネルを指すスクランブル情報と、放送する番組がスクランブルされていない論理チャンネルを指す非スクランブル情報とを、記憶部に格納するスクランブル情報格納部と、選局部が抽出する放送から、指定された論理チャンネルによる番組放送を選択的に抽出する放送受信部と、放送受信装置に着脱自在であって、且つ放送番組のスクランブルを解除するＩＣカードからなるモジュールが、放送受信装置に装着されたか否かを検出するモジュール検出部と、を備える。
【００２０】
そして、モジュール検出部がモジュールが装着されたことを検出するとき、記憶部からスクランブル情報を読出し表示部に表示するか、または、記憶部から非スクランブル情報とスクランブル情報とを読出し、表示部に個別に表示するかのいずれかを行なう。
【００２１】
この発明の他の局面に従うと、物理チャンネルに多重化した複数の論理チャンネルを形成し、この論理チャンネル毎に番組を放送するデジタルテレビジョン放送を受信する放送受信装置は、表示部と、記憶部と、放送局から送信されるデジタルテレビジョン放送を受信し、指定された物理チャンネルの放送を選局して抽出する選局部と、選局部が抽出する放送に基づき、指定された物理チャンネルに多重化した各論理チャンネルの放送番組がスクランブルされているか否かを検出し、検出結果を出力する検出部と、検出部から出力された検出結果に基づき、物理チャンネルに多重化した複数の論理チャンネルのうち、放送する番組がスクランブルされた論理チャンネルを指すスクランブル情報を、記憶部に格納するスクランブル情報格納部と、選局部が抽出する放送から、指定された論理チャンネルによる番組放送を選択的に抽出する放送受信部と、放送受信装置に着脱自在であって、且つ放送番組のスクランブルを解除するモジュールが、放送受信装置に装着されたか否かを検出するモジュール検出部と、を備え、モジュール検出部がモジュールが装着されたことを検出するとき、記憶部からスクランブル情報を読出し、表示部に表示する。
【００２２】
好ましくは、検出部から出力された検出結果に基づき、物理チャンネルに多重化した複数の論理チャンネルのうち、放送する番組がスクランブルされていない論理チャンネルを指す非スクランブル情報を、記憶部に格納する非スクランブル情報格納部をさらに備え、モジュール検出部がモジュールが装着されていないことを検出するとき、記憶部から非スクランブル情報を読出し、表示部に表示する。
【００２３】
好ましくは、モジュール検出部がモジュールが装着されていることを検出するとき、記憶部から非スクランブル情報と、スクランブル情報とを読出し、表示部に個別に表示する。
【００２４】
好ましくは、デジタルテレビジョン放送は、ＤＶＢ−Ｔ（Digital Video Broadcasting for Terrestrial）方式に従う放送である。
【００２５】
好ましくは、モジュールは、ＩＣカードからなる。
【発明の効果】
【００２６】
発明によれば、放送受信装置に放送番組のスクランブルを解除する着脱自在のモジュールが装着されたことが検出されると、放送する番組がスクランブルされた論理チャンネルを指すスクランブル情報が記憶部から読出されて表示部に表示される。
【００２７】
したがって、ユーザが放送受信装置にスクランブル解除用のモジュールを装着するのは、スクランブル放送を視聴したいとの要求を示すものであるから、モジュール装着を検出するとスクランブル放送の論理チャンネルの情報を表示することで、ユーザは所望する論理チャンネルの選局を表示内容に従い速やかに行うことができる。これにより、スクランブル放送のチャンネルを選局する際の利便性が改善される。
【発明を実施するための最良の形態】
【００２８】
以下、この発明の実施の形態について図面を参照しながら詳細に説明する。なお、図面の同一または相当部分については、同一符号を付してその説明は繰返さない。
【００２９】
（実施の形態１）
本実施の形態では、放送受信装置は、ユーザによる所望チャンネル選択を容易にするためにチャンネルのリストを表示する構成において、デスクランブルのための情報を記録したモジュールであるＩＣカードの装着/取り外しを検出した結果に基づき、表示するチャンネルのリストを、スクランブル放送信号のチャンネルのみからなるチャンネルのリスト、または非スクランブル放送のチャンネルのみからなるチャンネルのリストのいずれかに切換える。
【００３０】
これにより、ＩＣカードを挿入していない場合には、スクランブルチャンネルを選局したとしても画面は表示されないので、スクランブルチャンネルを表示するチャンネルのリストから取り除くことで、ユーザはチャンネルのリストを参照して所望チャンネルの選択をスムーズに行なうことができる。
【００３１】
図１は、この発明の実施の形態１に係る放送受信装置１００の概略構成図である。
図１を参照して、放送受信装置１００は、アンテナ４３およびモニタ４０を接続するとともに、外部のリモコン（リモートコントローラの略）４２から指令信号を受信する。アンテナ４３は、放送信号を受信し、受信した放送信号を放送受信装置１００に出力する。モニタ４０は、放送受信装置１００から出力された映像信号および音声信号を入力し、画面に画像を出力するとともに、スピーカから音声を出力する。
【００３２】
アンテナ４３は、図示のないテレビ放送局から電波で送信されてくる高周波数のＲＦ（Radio Frequency）信号であるデジタルテレビジョン放送信号を受信し、ＩＦ（Intermediate Frequency：中間周波数信号）に変換し放送受信装置１００に出力する。
【００３３】
リモコン４２は、ユーザによる操作を受付けて、操作に応じた指令信号を赤外線で放送受信装置１００に送信する。なお、リモコン４２から出力されるのは、赤外線の信号に限定されず、無線の信号であってもよい。また、リモコン４２および後述するリモコン受信部２６に代替して、または、リモコン４２およびリモコン受信部２６とともに、放送受信装置１００の本体に、ユーザからの操作を受付けて、操作信号を後述の制御部１０に出力する操作受付部を設けるようにしてもよい。
【００３４】
放送受信装置１００は、制御部１０、チューナ１６、デジタル復調器１８、ＭＰＥＧ（Moving Picture Experts Group）に従う復号機能を有するＭＰＥＧデコーダ２２、信号処理部２３、ＴＳ（Transport Stream）信号を処理するＴＳ処理部２４、ＴＳ処理部２４から出力された後述のＳＩ(program Specific Information)に基づき後述のチャンネルのリスト（一覧表）を作成し、作成したリストを制御部１０のメモリ１０Ｂに格納する情報作成・格納部２５を含む。
【００３５】
さらに放送受信装置１００は、デジタル復調器１８とＭＰＥＧデコーダ２２の間に設けられるスイッチ（図面ではＳＷと略す）部２１、外部のＩＣカード４１が着脱自在に装着されるカードＩ／Ｆ（インターフェイスの略）２７、カードＩ／Ｆ２７にＩＣカード４１が装着されているか否かを検出するためのカードディテクタ２８および放送受信装置１００の各部に電力を供給するための電源（図面ではＰＷＲと略す）部２９を含む。
【００３６】
制御部１０は、プログラムを実行するＣＰＵ（Central Processing Unit）１０Ａと、各種のデータを記憶するメモリ１０Ｂとを含む。メモリ１０Ｂにはチャンネルのリスト５１〜５４（後述の図２〜図３、図８を参照）が格納される。チャンネルのリスト５３は実施の形態２において説明する。
【００３７】
チューナ１６は、アンテナ４３を介して受信した放送信号を入力し、入力した放送信号の中から、ＣＰＵ１０Ａからの指示（選局すべき物理チャンネルの情報を含む）に応じて選択した物理チャンネルに対応する放送信号を抽出して出力する。チューナ１６は、抽出した放送信号をデジタル復調器１８へ出力する。
【００３８】
デジタル復調器１８は、チューナ１６から放送信号を受けて、放送信号を映像および音声がデジタル符号化されたＴＳ信号に復調し、出力する。
【００３９】
スイッチ部２１は、デジタル復調器１８から与えられるＴＳ信号を、ＣＰＵ１０Ａからの切換信号に応じて、ＭＰＥＧデコーダ２２およびカードＩ／Ｆ２７のいずれか一方に出力する。
【００４０】
ＭＰＥＧデコーダ２２は、与えられるＴＳ信号を入力し、映像信号および音声信号に復号する。そして、復号した映像信号および音声信号を信号処理部２３に出力する。信号処理部２３は、ＭＰＥＧデコーダ２２から入力した映像信号および音声信号をモニタ４０に出力可能なように信号を処理し、信号処理した映像信号および音声信号をモニタ４０に出力する。モニタ４０は、与えられる映像信号を画像として表示し、音声信号をスピーカ（図示せず）から出力する。
【００４１】
また、ＭＰＥＧデコーダ２２は、与えられるＴＳ信号を、ＴＳ処理部２４に出力する。ＴＳ処理部２４は、入力するＴＳ信号から所定の情報を抽出し、抽出した後述のＳＩを情報作成・格納部２５に出力する。情報作成・格納部２５は、簡単なマイクロプロセッサの機能を有し、与えられるＳＩに基づき、チャンネルのリスト１１および１２（後述する図２参照）を作成する。作成したチャンネルのリスト１１および１２は、情報作成・格納部２５によって、制御部１０のメモリ１０Ｂの所定領域に格納される。
【００４２】
カードディテクタ２８は、ＩＣカード４１がカードＩ／Ｆ２７に装着されているか取り外されているかを検出し、その検出結果を制御部１０に出力する。ここで、ＩＣカード４１は、接触式ＩＣカードであると想定する。その場合、ＩＣカード４１がカードＩ／Ｆ２７に装着されると、ＩＣカード４１側に設けられた図示のない接点（端子）とカードＩ／Ｆ２７側に設けられた図示のない接点（端子）とが接触し、カードＩ／Ｆ２７側の接点の電位が変化する。カードディテクタ２８はカードＩ／Ｆ２７側の接点の電位を検出し、その検出結果に基づき、ＩＣカード４１がカードＩ／Ｆ２７に装着されたか否かを検出する。
【００４３】
制御部１０のＣＰＵ１０Ａは、カードディテクタ２８からの検出信号に基づき、ＩＣカード４１がカードＩ／Ｆ２７に装着されていることを検出すると、スイッチ部２１に対し、“Ｈ”レベルの信号を出力する。スイッチ部２１は、“Ｈ”レベルの信号を入力すると、応じてデジタル復調器１８から入力するＴＳ信号を、カードＩ／Ｆ２７側に出力する。逆に、制御部１０は、カードディテクタ２８からの検出信号に基づき、ＩＣカード４１がカードＩ／Ｆ２７に装着されていないことを検出すると、応じて“Ｌ”レベルの信号をスイッチ部２１に出力する。スイッチ部２１は、“Ｌ”レベルの信号が与えられると、デジタル復調器１８から入力するＴＳ信号を、ＭＰＥＧデコーダ２２側に出力する。
【００４４】
ＣＰＵ１０Ａはメモリ１０ＢのフラグＦを、カードディテクタ２８からの検出信号を入力する毎に、当該検出信号が指す値に更新する。したがって、ＣＰＵ１０Ａは、カードディテクタ２８から検出信号を入力するとき、メモリ１０ＢのフラグＦが指す状態と、カードディテクタ２８から入力した検出信号が指す状態とを比較することにより、ＩＣカード４１が抜き→装着に状態変化したか、または装着→抜きに状態変化したかを検出することができる。
【００４５】
カードＩ／Ｆ２７にＩＣカード４１が装着されているとき、デジタル復調器１８から出力されるＴＳ信号は、スイッチ部２１、カードＩ／Ｆ２７を介してＩＣカード４１に入力する。
【００４６】
ＩＣカード４１は、簡単なマイクロプロセッサの機能を有し、解除キー４１１を内部メモリに予め記憶するとともに、デスクランブル部４１２を有する。
【００４７】
デスクランブル部４１２は、カードＩ／Ｆ２７から入力するＴＳ信号を解析し、スクランブルがかけられているか否かを検出する。スクランブルがかかっている場合には、スクランブル解除（デスクランブル）の動作を行なう。具体的には、デスクランブル部４１２は、解除キー４１１を用いて暗号化されたデジタルのＴＳ信号の復号処理を行なって、復号したＴＳ信号を、カードＩ／Ｆ２７に出力する。したがって、スクランブルが解かれたＴＳ信号は、カードＩ／Ｆ２７からＭＰＥＧデコーダ２２に与えられる。
【００４８】
ＩＣカード４１にスクランブル化されていないＴＳ信号が与えられたときは、ＩＣカード４１のデスクランブル部４１２は動作せず、当該ＴＳ信号はＩＣカード４１をそのままスルーして出力される。そして、カードＩ／Ｆ２７を介してＭＰＥＧデコーダ２２に与えられる。
【００４９】
信号処理部２３は、ＯＳＤ（On Screen Display）回路２３１を有する。ＯＳＤ回路２３１は、制御部１０から与えられるデータに基づく画像信号を生成し、その生成した信号を、信号処理部２３から出力される映像信号に重畳してモニタ４０に出力する。これにより、データに基づく画像が重畳した番組の映像がモニタ４０の画面に映し出される。
【００５０】
このように、放送信号にスクランブルがかけられた有料番組を放送するデジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）方式がある。いずれの方式においても、ＣＡＳのために有料番組の放送信号はスクランブルの符号化（暗号化）がされて送信される。
【００５１】
本実施の形態では、たとえばヨーロッパのＤＶＢ−Ｔ方式（ＥＴＳＩ（European Telecommunications Standards Institute） ＥＮ ３００ ４６８）における、デジタルテレビ放送を例示して説明する。
【００５２】
図４には、本実施の形態に係るＤＶＢ−Ｔ規格に従うＴＳ信号の一例が模式的に示される。ＴＳ信号は、１つの物理チャンネルに対応し１つ存在する。物理チャンネルとは、実際にアンテナ４３およびチューナ１６が受信する周波数を表すチャンネルであり、番号で指示される。また、１つのＴＳ信号には、複数の論理チャンネルの放送用のコンテンツの符号化された信号（映像信号および音声信号など）が含まれる。符号化された画像・音声のそれぞれを、ＥＳ（エレメンタリストリーム:Elementary Stream)と呼ぶ。このように、１つの物理チャンネルに複数の論理チャンネルが多重化されている。
【００５３】
図４では、ＴＳ信号に、たとえば、ＴＶ（テレビジョン）局ＡとＴＶ局Ｂという２つの放送局が送信する番組コンテンツのための論理チャンネルそれぞれに対応して、映像と音声のコンテンツが含まれる。また、ＴＳ信号では複数の番組(プログラム）を取り扱うことが可能であるが、そのＴＳ信号にどのような番組が存在し、ＴＳ信号に含まれる各ＥＳがどの番組に属しているかを記した情報をＳＩ(program Specific Information)という。ＳＩは動画や音声とは、別にＴＳ信号に挿入されて送信される。ＳＩは、当該ＴＳ信号に含まれる論理チャンネルに関する情報として、ＥＩＴ、ＳＤＴ、ＰＭＴおよびＢＡＴを含む。これらの情報は、放送局によって生成されて重畳されて放送される。
【００５４】
ＥＩＴ(Event Information Table)は、各局が放送する番組の名称や放送日時、放送内容など、番組に関連する情報を含む。具体的には、各局の現在および次の放送番組に関する情報が含まれる。ＳＤＴ(Service Description Table)には、ＴＶ局が放送する各番組に対応する論理チャンネルを識別するために論理チャンネルの番号が含まれる。ＰＭＴ(Program Map Table)は、番組毎に、当該番組を構成する画像や音声などに共通して割当された識別情報を格納する。ＰＭＴを解析することで、ＴＳ信号に含まれる各画像や音声などのコンテンツの識別情報を得ることができるので、得られた同一の識別情報を有する映像または音声をＴＳ信号から抽出することで、各番組を再生することができる。ＢＡＴは、各ＴＶ局の番組の放送信号についてスクランブルがかかっているか否かを指すサービス情報を含む。
【００５５】
ＴＳ処理部２４は、ＭＰＥＧデコーダ２２から出力されたＴＳ信号を解析し、ＳＩを抽出し、情報作成・格納部２５に与える。情報作成・格納部２５には、また、ＣＰＵ１０Ａから、チューナ１６によって現在、選局されている物理チャンネルの情報である物理チャンネルの番号が与えられる。
【００５６】
情報作成・格納部２５は、本実施の形態では、与えられるＳＩと選局中の物理チャンネルの情報を入力し、入力した情報に基づいて、図２と図３に示すチャンネルのリスト５１、５２および５４を作成し、作成したリストをメモリ１０Ｂに格納する。
【００５７】
図２を参照して、リスト５１は、放送受信装置１００が受信する物理チャンネル１１１のそれぞれに対応して、複数の論理チャンネル（図中、‘ＬＣＮ’と略す）の番号を指すデータ１１２が格納される。データ１１２のそれぞれに対応して、当該データ１１２が指す論理チャンネルを用いて番組を放送するＴＶ局名を示すデータ１１３および当該番組のスクランブルの有無（有料放送の有無）を指すデータ１１４を格納する。
【００５８】
また、リスト５４は、リスト５１から読出したしたデータ１１２、１１３および１１４を用いて作成される。リスト５２はリスト５１から読出したデータを用いて作成される。具体的には、ＣＰＵ１０Ａは、リスト５２を、リスト５１のデータ１１４のうち‘スクランブルなし’を指すデータ１１４と、それに対応するＴＶ局名を示すデータ１１３および対応の論理チャンネルの番号を指すデータ１１２を読出し、‘スクランブルなし’を指すデータ１２４、ＴＶ局名のデータ１２３および論理チャンネルの番号のデータ１２２として対応付けて格納することにより作成する。
【００５９】
図２のリスト５１は、放送受信装置１００のチャンネルスキャンモードにおいて予め作成されてメモリ１０Ｂに格納される。チャンネルスキャンモードでは、デジタル復調器１８から出力されたＴＳ信号は、スイッチ部２１を介してＭＰＥＧデコーダ２２側に出力される。
【００６０】
図５にはチャンネルスキャンモードの処理フローチャートが示される。図中の‘ＣＨ’はチャンネルの略称である。図５を参照して、マルチスキャンモードにおいては、ＣＰＵ１０Ａは、当該放送受信装置１００で受信可能な物理チャンネルのそれぞれについて、チューナ１６に指示して選局動作を行なわせる（ステップＳ１）。この受信可能な物理チャンネルの情報はメモリ１０Ｂに予め格納されていると想定する。したがって、チューナ１６が各物理チャンネルの放送信号を受信するとき、各物理チャンネルについてのＴＳ信号は、ＭＰＥＧデコーダ２２からＴＳ処理部２４に与えられる。ＴＳ処理部２４はＴＳ信号からＳＩを抽出して、情報作成・格納部２５に出力する。また、受信中の物理チャンネルの情報は、ＣＰＵ１０Ａから情報作成・格納部２５に与えられる。
【００６１】
情報作成・格納部２５では、入力する物理チャンネルを指示する情報および当該物理チャンネルのＴＳ信号から抽出したＳＩに基づき、図２のリスト５１を作成し、作成したリストをメモリ１０Ｂに格納する。これにより、リスト５１は予め作成されて格納される（ステップＳ３）。
【００６２】
次に、図６のフローチャートを参照し、放送受信装置１００におけるチャンネルのリスト表示の手順について説明する。
【００６３】
ここで、放送受信装置１００の電源はＯＮされているとする。
図６を参照して、まず、ＣＰＵ１０Ａは、リモコン４２からの指令信号に基づき、リスト表示が指示されているか否かを検出する（ステップＳ５）。リスト表示の指示がされていないと検出されるまでの間は、ステップＳ５の処理が繰返される。
【００６４】
一方、リスト表示の指示を入力したと検出すると（ステップＳ５でＹＥＳ）、ＣＰＵ１０Ａは、カードディテクタ２８からの検出信号に基づき、ＩＣカード４１が、ユーザによってカードＩ／Ｆ２７に挿入されているか否かを検出する（ステップＳ７）。挿入されていると検出すると、ＣＰＵ１０Ａは、メモリ１０Ｂのリスト５１から情報を読出し、読出した情報に基づき、すべての論理チャンネルの情報を格納した図２のリスト５４を作成して、メモリ１０Ｂに格納する（ステップＳ９）。
【００６５】
一方、ＩＣカード４１が挿入されていないと検出すると（ステップＳ７でＮＯ）、ＣＰＵ１０Ａは、物理チャンネルのリスト５１から、スクランブルがかかっていない（スクランブルなし）の論理チャンネルのデータのみを選択的に読出し、読出した論理チャンネルのデータに基づき図３のリスト５２を作成し、メモリ１０Ｂに格納する（ステップＳ１１）。
【００６６】
次に、ＣＰＵ１０Ａは、ステップＳ９またはＳ１１で作成されたチャンネルのリストの情報に基づく画像データを生成し、信号処理部２３のＯＳＤ回路２３１に与える。ＯＳＤ回路２３１は、与えられる画像データを入力し、映像信号に重畳し出力する。これにより、モニタ４２には、論理チャンネルのリスト５４または５２が表示される（ステップＳ１３）。図７には、無料放送（スクランブルなし）の論理チャンネルのリスト５２の表示の一例が示される。
【００６７】
次に、ＣＰＵ１０Ａは、リモコン受信部２６を介してリモコン４２の操作による何らかの指令を入力するかを検出する（ステップＳ１５）。
【００６８】
何らかの指令を入力した場合（ステップＳ１５でＹＥＳ）、ＣＰＵ１０Ａは、指令を解析し、解析結果に基づき、指令は論理チャンネル（ＬＣＮ）の選択指示であるか否かを検出する（ステップＳ１７）。論理チャンネルの選択指示であると検出すると（ステップＳ１７で‘ＬＣＮ選択’）、処理はステップＳ１９に移行するが、その他の指示であると検出すると（ステップＳ１７で‘その他’）、当該指示に応じた他の処理へ移行する。この他の処理についての説明は、ここでは省略する。
【００６９】
ステップＳ１３で表示された論理チャンネルのリストを参照し、ユーザは所望の論理チャンネルを見つけ出し、リモコン４２を操作し選択したチャンネルの番号を入力する。
【００７０】
ステップＳ１９では、ユーザが選局した論理チャンネルの画像がモニタ４０に出力される。具体的には、ＣＰＵ１０Ａは、このチャンネル選択の指令を入力し、入力した選択論理チャンネルに対応する物理チャンネルのデータ１１１を記憶部１０Ｂのリスト５１を検索して読出し、チューナ１６に出力する。これにより、チューナ１６は与えられるデータ１１１が指示する物理チャンネルを選局する動作を行なう。また、ＣＰＵ１０Ａは、入力した選択論理チャンネルのデータをＭＰＥＧデコーダ２２に与えて、該論理チャンネルのコンテンツをＴＳ信号から抽出するように制御する。したがって、指示された論理チャンネルのコンテンツのデータが信号処理部２３を介してその映像信号および音声信号がモニタ４０に与えられ、そこに画像または音声が出力される。このとき、ステップＳ１３で表示中のチャンネルのリストは画面から消去される。
【００７１】
ここでは、表示するべきチャンネルのリストはステップＳ９またはＳ１１において表示の都度、作成するとしているが、予め作成しておいてもよい。
【００７２】
このように本実施の形態によれば、デスクランブルのためのＩＣカード４１が装着されていない場合において、すなわちユーザが有料放送番組の視聴を希望していないと想定される場合において、チャンネルのリスト表示の要求がされたときは、スクランブル有りの論理チャンネルの情報は、表示すべきリストから除かれている。したがって、ユーザは、表示リストを参照して所望するチャンネルの選択をスムーズに行なうことができる。
【００７３】
（実施の形態２）
本実施の形態２では、図１の放送受信装置１００におけるチャンネルのリスト表示の他の例が示される。
【００７４】
図８には、本実施の形態２に係るチャンネルのリストの一例が示される。図８を参照してチャンネルのリスト５３は、予め作成されてメモリ１０Ｂに格納されたチャンネのリスト５１に基づき、情報作成・格納部２５により作成されて、メモリ１０Ｂに格納される。
【００７５】
具体的には、リスト５３は、リスト５１のデータ１１４のうち‘スクランブルあり’を指すデータ１１４と、それに対応するＴＶ局名を示す１１３および対応する論理チャンネルの番号を指すデータ１１２を、リスト５１から読出し、データ１３４、データ１３３およびデータ１３２として対応付けて格納することにより作成される。
【００７６】
図９を参照して、本実施の形態２に係るチャンネルのリストの作成手順について説明する。まず、ステップＳ２５とＳ２７において、前述のステップＳ１とＳ３と同様の処理によって、放送受信装置１００において物理チャンネルのスキャンが行なわれて、この結果、各物理チャンネルについての情報を格納したリスト５１が作成されて、メモリ１０Ｂに格納される。
【００７７】
次に、ＣＰＵ１０Ａは、作成された物理チャンネルのリスト５１を検索し、データ１１４が指す‘スクランブルのあり／なし’に基づき、個別に、論理チャンネルのリストを作成し、メモリ１０Ｂに格納する（ステップＳ２９）。具体的には、ＣＰＵ１０Ａは、リスト５１を検索して読出したデータを用いて図３のリスト５２と、図８のリスト５３を作成し、作成したリストをメモリ１０Ｂに格納する。
【００７８】
図１０には、本実施の形態２に係るチャンネルのリスト表示のための処理フローチャートが示される。図１０を参照して、まずＣＰＵ１０Ａは、リモコン４２の操作によるリスト表示の指令を入力するかを検出する（ステップＳ３１）。リスト表示指令の入力を検出すると（ステップＳ３１でＹＥＳ）、続いてＩＣカード４１が挿入されているか否かを、カードディテクタ２８からの検出信号に基づき検出する（ステップＳ３２）。
【００７９】
ＩＣカード４１は挿入されていないと検出すると（ステップＳ３２でＮＯ）、ＣＰＵ１０Ａは、メモリ１０Ｂから、スクランブル無しのチャンネルのリスト５２のデータを読出し、読出したデータに基づく画像データを生成しＯＳＤ回路２３１に出力する。したがって、リスト５２の画像がＯＳＤ回路２３１によりモニタ４０に表示される（ステップＳ３３）。このときの表示の一例が図７に示される。
【００８０】
ＩＣカード４１が挿入されていると検出すると（ステップＳ３２でＹＥＳ）、ＣＰＵ１０Ａは、メモリ１０Ｂから、リスト５２と５３のデータを読出し、読出したデータに基づく画像データを生成しＯＳＤ回路２３１に出力する。したがって、リスト５２と５３の画像がＯＳＤ回路２３１によりモニタ４０に表示される（ステップＳ３５）。このときの表示の一例が図１１に示される。
【００８１】
ＩＣカード４１が挿入されていると検出したときに、チャンネルのリストを図７のように表示するか、または図１１のように表示するかは、ユーザによるリモコン４２の操作に従い選択的に切換えるようにしてもよい。
【００８２】
図１１には、有料放送の論理チャンネルのリスト５３と無料放送の論理チャンネルのリスト５２が同時に画面に表示された状態を示すが、表示の態様はこれに限定されない。たとえば、この２つのリストは同時に表示されてもよく、有料放送のチャンネルのリストと、無料放送のチャンネルのリストが切換え表示されるようにしてもよい。
【００８３】
また、リスト５２と５３は、予め作成してメモリ１０Ｂに格納するとしているが、次のようにしてもよい。つまりリスト表示の指令を入力する都度（ステップＳ３１でＹＥＳ）、リスト５１のデータを読出してリスト５２と５３を作成し、続いて表示するようにしてもよい。
【００８４】
また、本実施の形態では、ＩＣカード４１の挿入の有無に基づき、表示するべきリストを異ならせるようにしているが、ＩＣカード４１の挿入の有無に関係なく、一律に図１１のように両方のリストが表示されるようにしてもよい。
【００８５】
このように本実施の形態によれば、デスクランブルのためのＩＣカード４１が装着されている場合において、すなわちユーザが有料放送番組の視聴を希望していると想定される場合において、チャンネルのリスト表示の要求がされたときは、スクランブル有りの論理チャンネルの情報を、スクランブル無しの論理チャンネルの情報とは区別が明らかとなるような態様で表示する。したがって、ユーザは、表示リストを参照して所望するチャンネルの選択をスムーズに行なうことができる。
【００８６】
図１２には、本発明の各実施の形態に係る放送受信装置１００とリモコン４２の概観が示される。図示されるように放送受信装置１００とモニタ４０とは一体的に構成されており、モニタ４０の画面４０２にはＯＳＤ回路２３１による画像および受信した放送信号による映像が表示される。モニタ４０の前面には、カードＩ／Ｆ２７に関連して設けられたカードスロット部４０３と受信部４０４が設けられる。ユーザはカードスロット部４０３を介しＩＣカード４１を外部から装着し、また取り外すことができる。受光部４０４は、リモコン４２から送信された指令信号を受信するためのものである。
【００８７】
リモコン４２は、ボタン群およびボタン群の操作に応じた指令信号を送信するための送信部４３１を含む。ボタン群は、放送受信装置１００の電源をＯＮ/ＯＦＦするために操作されるボタン４２９、チャンネルスキャンモードを指定するために操作されるボタン４３０、表示されるべき論理チャンネルのリストを有料のチャンネルのリスト５３または無料のチャンネルのリスト５２に切換えるために操作されるボタン４２８Ａおよび４２８Ｂ、受信するべき放送信号のチャンネルを指定・切換えるために操作されるボタン４３２、カーソル移動ボタン４３３、チャンネルのリスト表示を指示するために操作されるボタン４３４、および論理チャンネルの指定のために操作されるボタン４３５を有する。
【００８８】
チャンネル切換えは、ボタン４３２の操作に限定されず、ボタン４３３を操作してもよい。ボタン４３３を操作することでチャンネルのＵＰ操作（現在の選局チャンネルから番号が大きいチャンネルに切換える操作）、またはＤＯＷＮ操作（現在の選局チャンネルから番号が小さいチャンネルに切換える操作）の指令信号を送信するとができる。
【００８９】
ボタン４３５は物理チャンネルおよび論理チャンネルの指定・切換えのために兼用される。この兼用を可能にするために、リモコン４２では次のように操作指令が認識される。つまり、ボタン４３５に続いてボタン４３２が操作された場合には、ボタン４３２の操作は論理チャンネルの切換え操作であると検出されて、論理チャンネル切換えの指令信号が送信される。そうでない場合には、ボタン４３２の操作は物理チャンネルの切換え操作であると検出されて、物理チャンネル切換えの指令信号が送信される。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９１】
【図１】各実施の形態に係る放送受信装置の構成図である。
【図２】各実施の形態に係るメモリに格納されるチャンネルのリストの一例を示す図である。
【図３】各実施の形態に係るメモリに格納されるチャンネルのリストの一例を示す図である。
【図４】各実施の形態に係るＴＳ信号の構成を模式的に示す図である。
【図５】各実施の形態に係るチャンネルのリスト作成の処理フローチャートである。
【図６】実施の形態１に係るチャンネルのリストの表示と選局の処理フローチャートである。
【図７】各実施の形態に係る画面の表示例を示す図である。
【図８】実施の形態２に係るメモリに格納されるチャンネルのリストの一例を示す図である。
【図９】実施の形態２に係るチャンネルのリスト作成の処理フローチャートである。
【図１０】実施の形態２に係るチャンネルのリスト表示の処理フローチャートである。
【図１１】実施の形態２に係る画面の表示例を示す図である。
【図１２】各実施の形態に係る装置の概観を示す図である。
【符号の説明】
【００９２】
１０  制御部、１６  チューナ、１８  デジタル復調器、２１  スイッチ部、２２  ＭＰＥＧデコーダ、２３  信号処理部、２４  ＴＳ処理部、２５  情報作成・格納部、２７  カードＩ／Ｆ、２８  カードディテクタ、４０  モニタ、４１  ＩＣカード、４２  リモコン、５１，５２，５３，５４  チャンネルのリスト、１００  放送受信装置、４１１  解除キー、４１２  デスクランブル部。
【図１】
2009177708.tif 000003
【図２】
2009177708.tif 000004
【図３】
2009177708.tif 000005
【図４】
2009177708.tif 000006
【図５】
2009177708.tif 000007
【図６】
2009177708.tif 000008
【図７】
2009177708.tif 000009
【図８】
2009177708.tif 000010
【図９】
2009177708.tif 000011
【図１０】
2009177708.tif 000012
【図１１】
2009177708.tif 000013
【図１２】
2009177708.tif 000014